(57)【特許請求の範囲】
【請求項１】
机等に着脱自在に取り付けられる基台と、基台上面に着脱自在に取り付けられる上部ボードより構成され、基台は、左右端部側の前後方向中央部上面に、上部ボードを着脱自在に連結する嵌合金具の下方部が嵌入する嵌合孔が形成され、左右脚体の連結用螺孔に対応して、左右端部に前後方向に貫通する連結用貫通孔が形成され、机に連結された状態で、上面が天板の上面よりやや上方に位置する高さ寸法に設定され、上部ボードは、前後面が異なるカラー、材質等よりなり、左右端部前後方向中央部下面に、下面が開口し、前記嵌合金具の上半部が嵌合する嵌合凹部が形成され、嵌合凹部と嵌合金具を上下方向に嵌合する事により、基台に対しリバーシブルで着脱自在に取り付可能に形成されている事を特徴とする机等のフロントボード。
【発明の詳細な説明】
【０００１】
【発明の属する技術分野】
本発明は、特に机の天板後方に立設されるフロントボードに関するものである。
【０００２】
【従来の技術】
従来、上記フロントボードは、一体に構成した取り付け金具を机と連結していた。（例えば、実公昭６０−１９６１９）
【０００３】
したがって、ボードの表面が汚れたり或いは損傷した場合、フロントボードを新品と取り替えなければならない。
又、ボード表面のカラー、材質等が周囲の環境とマッチしなくなった場合、あるいは、ボード表面のカラー、材質等を変えて気分転換を計る場合も、フロントボードを新品と取り替えなければならないと云う問題があった。
【０００４】
【発明が解決しようとする課題】
本発明は上記問題に鑑みてなされたものであり、簡単な構造で安価に制作出来、ボードを新品に取り代えることなく、簡単な操作で新品同様、あるいは、カラー、材質等の異なったボードに変えて気分転換等を図ることができるフロントボードを提供する事を課題とする。
【０００５】
【課題を解決する為の手段】
そこで、上記課題を解決する為、本発明の第１の手段として構成したところは、机等に着脱自在に取り付けられる基台と、基台上面に着脱自在に取り付けられる上部ボードより構成され、基台は、左右端部側の前後方向中央部上面に、上部ボードを着脱自在に連結する嵌合金具の下方部が嵌入する嵌合孔が形成され、左右脚体の連結用螺孔に対応して、左右端部に前後方向に貫通する連結用貫通孔が形成され、机に連結された状態で、上面が天板の上面よりやや上方に位置する高さ寸法に設定され、上部ボードは、前後面が異なるカラー、材質等よりなり、左右端部前後方向中央部下面に、下面が開口し、前記嵌合金具の上半部が嵌合する嵌合凹部が形成され、嵌合凹部と嵌合金具を上下方向に嵌合する事により、基台に対しリバーシブルで着脱自在に取り付可能に形成されているものである。
【０００９】
【実施例】
以下、本発明を添付図面に基づいて説明する。
図１において、符号１は机を示し、符号２は机１に着脱自在に取り付けられるフロントボードを示している。
机１は、図１〜図３に示すように、天板１１と、天板１１の左右端部下面に配設された略コ字形の左右の脚体１２、１２と、左右の脚体１２、１２を連結する連結枠１３より構成されている。
天板１１は後端中央部に、天板上に載置して使用されるＯＡ機器の電源線、通信線等のケーブルが挿通する挿通用切り欠き１１１を有し、前半部下面に左右方向に摺動自在に引出し１１２が配設されている。
そして、左右の脚体１２、１２の後面上部には、前記フロントボード２を着脱自在に連結するための連結用螺孔１２１・・・が形成されている。
【００１０】
連結枠１３は、上方から前面上部が左右方向に渡って開口し、内部空間を上記ケーブルの余剰部分が収納される余剰ケーブル収納部１３１を有し、左右端部が左右の脚体１２、１２内面にネジ止め連結されている。
【００１１】
フロントボード２は、図１〜図５に示すように、机１の後面にネジ止め等にて着脱自在に連結される基台３と、基台３の上面に嵌合金具４、４を介して着脱自在に取り付けられる上部ボード５より構成されている。
【００１２】
基台３は、ＭＤＦ材の表面にプリント紙を張り付けた木質系の材質より形成され、左右端部側の前後方向中央部上面に、前記嵌合金具４、４の下方部が嵌入する、嵌合孔３１・・・が形成され、左右端部に前記連結用螺孔１２１・・・に対応して前後方向に貫通する連結用貫通孔３２・・・が形成され、机に連結された状態で、上面が天板１１の上面よりやや上方に位置する高さ寸法に設定されている。
【００１３】
嵌合金具４は、下向きＵ字状となした線材より形成され、下半部が前記嵌合孔３１・・・に嵌入し、基台３の左右端部の前後方向中央部上面に、上半部が上方に突出して取り付けられる。
【００１４】
上部ボード５は、ＭＤＦ製の基板５１と、基板５１の表裏面（前後面）に配設された同一の厚みからなる表裏ボード５２、５３より構成されている。
基板５１は、左右端部前後方向中央部下面に、下面が開口し、前記嵌合金具４、４の上半部が嵌合する嵌合凹部５１１、５１１が形成されている。
【００１５】
表裏ボード５２、５３は、前後方向に対称構造に形成されており、実施例では前後面が異なるカラーより構成されている。
すなわち、表ボード５２は、ピンナップが可能なインシュレーションボードからなる表基板５２１と、表基板５２１の下辺側を除く周部に貼り付けられたＭＤＦからなるボード裏縁板５２２と、表基板５２１とボード裏縁板５２２表側面と裏面周部を覆う表面布地５２３より形成され、裏ボード５３は、ピンナップが可能なインシュレーションボードからなる裏基板５３１と、裏基板５３１の下辺側を除く周部に貼り付けられたＭＤＦからなるボード表縁板５３２と、裏基板５３１とボード表縁板５３２の裏側面と表面周部を覆う、表面布地５２３とカラーの異なる裏面布地５３３より形成されている。
【００１６】
上部ボード５は上記の如く構成され、表ボード５２が汚れたり、損傷したり、あるいは、天板１１側のカラーを変えて気分転換を図る場合は、上部ボード５を上方に移動させて、基台３から取り外した後、上部ボード５を表裏反転させて、全く使用されていない、あるいは、カラーの異なる裏ボード５３を天板１１の前面側として、再び基台３に取り付けて使用する。
【００１７】
一方、上部ボード５が破損した場合等、上部ボード５を基台３に取り付けないで使用すると、基台３の上面は天板１１の上面上方に突出しているので、基台３は、天板１１上の物品が後方に落下するのを防止する落下防止壁として使用する事ができる。
この時、基台３の上面に嵌合孔３１・・・が露出するのを避けるには、基台３の上下を逆にして机１に取り付け直すと良く、連結用貫通孔３２・・・の高さ位置が基台３の上下端面から同じ位置に形成されておれば、基台３の上面が天板１１の上面より突出する突出高さに変化はなく、連結用貫通孔３２・・・の高さ位置を異なって形成しておけば、基台３の突出高さを変える事が出来る。
【００１８】
尚、実施例では、表裏面布地５２３、５３３のカラーのみを変えているが、表裏ボード５２、５３の一方をコルクボードで構成したり、或いは表面に布地の内部に鉄板を設けてマグネットでメモ等を張り付ける等、表裏ボード５２、５３をカラーだけでなく、材質を変えることで使用勝手が一段と向上する。
又、実施例では、嵌合凹部５１１を上部ボード５に、嵌合金具を基台３側にもうけているが、逆であっても良い。
【００１９】
【発明の効果】
請求項１に記載の発明によれば、フロントボードを机等に着脱自在に取り付けられる基台と、基台上面に着脱自在に取り付けられる上部ボードより構成し、基台の上面は天板の上面上方に突出しているので、単独で使用すれば、天板上の物品が後方に落下するのを防止する落下防止壁として使用する事ができる。上部ボードは基台に対しリバーシブルに取り付可能に形成されているので、一方側の面が汚れたり、損傷しても、机との連結状態に影響されることなく、上部ボードを反転させて裏面側を表面として使用する事で、新品にかえる必要がない。
【００２０】
上部ボードは前後面が異なるカラー、材質等より構成されているので、上記効果に加え簡単に気分転換を図ることができる。
【００２１】
さらに、基台と上部ボードは上下方向に嵌合して着脱自在に取り付けられているので、上部ボードの反転取り付け作業が机の前面側から行う事が出来、机等を移動させる必要もなく、非常に容易である。
【図面の簡単な説明】
【図１】    本発明の要部分解斜視図。
【図２】    本発明を机と連結した状態の正面図。
【図３】    本発明の机と連結した状態の側面図。
【図４】    本発明の正面図。
【図５】    図４のＡ−Ｂ線要部拡大断面図。
【符号の説明】
１                  机
１１                天板
２                  フロントボード
３                  基台
４、４              嵌合金具
５                  上部ボード
５１１、５１１      嵌合凹部
【図１】
0003720695.tif 000002
【図２】
0003720695.tif 000003
【図３】
0003720695.tif 000004
【図４】
0003720695.tif 000005
【図５】
0003720695.tif 000006